(57)【特許請求の範囲】
【請求項１】
階段設置室とこの階段設置室と隣接する部屋とを仕切る仕切り壁に沿って階段を設置した住宅において、
前記仕切り壁のうち、前記階段の下に相当する部位に開口部を形成し、この開口部を介して前記階段設置室と隣接する部屋を階段下まで拡張して飾り棚を設けると共に、該飾り棚の一側部を前記階段のささら部に対応したささら形状に形成したことを特徴とする住宅の階段下構造。
【請求項２】
前記階段の下に前記階段設置室とこの階段設置室と隣接する部屋とを仕切る階段下仕切り壁を設けたことを特徴とする請求項１記載の住宅の階段下構造。
【発明の詳細な説明】
【０００１】
【発明の属する技術分野】
本発明は、階段の下の有効利用のために階段下に収納部を設置した構造の改良に関するものである。
【０００２】
【従来の技術】
住宅の階段下をどのように利用するかは、限られた空間を有効利用するための大切なポイントである。
近年、階段下の空間の活用方法について種々のものが提案されている。
すなわち、階段下に飾り棚や収納室やトイレ等を設け、これらの機能の向上を図るために種々の提案がなされている。例えば、階段下に収納室を設ける場合には、収納扉の取付け位置や照明の位置等に種々の工夫を行い、また、階段下にトイレを設ける場合には、便器の位置や天井等について種々の工夫がなされている。
【０００３】
【発明が解決しようとする課題】
しかし、これらの階段下構造は、いずれも階段が設置されている部屋の空間の有効利用であり、階段設置室に隣接する部屋の空間の有効利用のための構造については何らの提案もなされていなかった。
また、階段が設置される部屋の床面積等との関係から、階段が設置されている玄関ホール等の階段下に収納室が設けられず、階段下の有効利用が図れない場合もあった。
本発明は上記の点に鑑みてなされたものであって、その目的とするところは、階段設置室に隣接する部屋のために階段下の空間を有効に利用することができる住宅の階段下構造を提供する。
【０００４】
【課題を解決するための手段】
上記目的を達成するための本発明の請求項１の住宅の階段下構造は、階段設置室とこの階段設置室と隣接する部屋とを仕切る仕切り壁に沿って階段を設置した住宅において、前記仕切り壁のうち、前記階段の下に相当する部位に開口部を形成し、この開口部を介して前記階段設置室と隣接する部屋を階段下まで拡張して飾り棚を設けると共に、該飾り棚の一側部を前記階段のささら部に対応したささら形状に形成したことを特徴とするものである。
【０００５】
請求項２の住宅の階段下構造は、請求項１に記載の住宅の階段下構造において、前記階段の下に前記階段設置室とこの階段設置室と隣接する部屋とを仕切る階段下仕切り壁を設けたことを特徴とするものである。
【０００９】
【発明の実施の形態】
以下、本発明の実施の形態を図面に従って説明する。
図１は、住宅内部の示す一部切欠した斜視図であり、玄関ホール１の隣にはリビングルーム２が設けられており、玄関ホール１とリビングルーム２とは仕切り壁３にて仕切られており、玄関ホール１と２階とをつなぐための階段４が仕切り壁３に沿って配設されている。
【００１０】
仕切り壁３のうち、階段４の下の空間６に対応する部位には、リビングルーム２の床レベルから階段４の下縁部近くかけて開口部５が設けられており、開口部５の一側部は階段４のささら部に対応したささら形状に形成されている。
また、図１及び図４に示すように、階段４の下の空間６は階段下仕切り壁７によって玄関ホール側階段下空間８とリビングルーム側階段下空間９とに仕切られている。
【００１１】
図１及び図２に示すように、リビングルーム２は、床面が廊下より高く床座式に構成された和室形式のリビングルームとなっており、例えばホビールームとしても好適なものとなっている。
【００１２】
同図に示すように、リビングルーム２にはニッチ状の飾り棚１０が設けられている。飾り棚１０は飾り棚本体１０ａに棚板１０ｂを取り付けて構成されている。
飾り棚本体１０ａは、左右一対の側板１０ｃ，１０ｄと天板１０ｅと背板１０ｆとで構成されており、一方の側板１０ｃはささら形状に形成されている。
飾り棚本体１０ａは仕切り壁３の開口部５内及びリビングルーム側階段下空間６に配設されており、飾り棚本体１０ａの一方の側板１０ｃは開口部５のささら形状をした一側部に合致させており、飾り棚１０の背板１０ｆは階段下仕切り壁７に密着させている。飾り棚本体１０ａの天板１０ｅの奥部には間接照明部１１が配設されている。
また、棚板１０ｂは飾り棚本体１０ａのささら形状の側板１０ｃの各段部に対応して配設されている。
【００１３】
なお、玄関ホール１は階段設置室の一例であり、リビングルーム２は階段設置室と隣接する部屋の一例であり、リビングルーム２は階段設置室に隣接する部屋の一例であり、飾り棚１０は拡張空間部の一例である。
【００１４】
住宅の階段下構造は以上のように構成されるので、階段下の空間６の利用により、玄関ホール１の隣室であるリビングルーム２を広く見せることができ、飾り棚１０によって華やいだ印象を受けるリビングルーム２を形成することができる。
【００１５】
図５及び図６は、各種体験コーナを回りながら、住宅の立体空間について学習できるようにした体験学習プラントＰに住宅の階段下構造を設置した平面図を示しており、同図に示す体験学習プラントＰは、図５の２階部分２Ｆおよび図６の１階部分１Ｆよりなる２階建ての建築物の形態の設備となっている。
プラントＰには、一般階段体験コーナＣ１や階段下空間体験コーナＣ２等を備わっており、この階段下空間体験コーナＣ２を通じて、上述した住宅の階段下構造の特徴を実地で体験できるようになっている。
階段下空間体験コーナＣ２は、図５に示すように、６つのユニットＵ１乃至Ｕ６から構成されており、各ユニットＵ１乃至Ｕ６は前記プラントＰの１階部分１Ｆに配置されている。ユニットＵ１は、階段下収納比較ユニットであって、タイプの異なる２種類の階段下収納を並置して構成されている。ユニットＵ２は、階段下トイレ体験ユニットである。ユニットＵ３は階段下飾り棚となっており、Ｕ形廻り階段の階段下空間に飾り棚を設けて構成されている。ユニットＵ４は、家具階段、即ち上端部が階段状に構成された家具となっている。ユニットＵ６は、踊り場下収納体験ユニットとなっている。ユニットＵ６は、上述のようにリビングルーム２に飾り棚１０を設けた階段下構造となっている。
【００１６】
そして、ユニットＵ１乃至Ｕ６を順次回ることにより、階段下の空間の活用方法等を実物で体験しながら学習でき、特に、ユニットＵ６では、階段下の空間を利用した飾り棚１０が設けられたリビングルーム２を実際に見ることにより、リビングルーム２の広さ等を体験できる。
【００１７】
図７は他の実施の形態の住宅の階段下構造を示しており、階段４の下の玄関ホール側階段下空間９に玄関側の飾り棚１２が設けられて玄関ホール１も広く見せている。これにより、階段４の下の空間６を玄関ホール１及びリビングルーム２の両者のために有効利用することができる。
なお、先の実施の形態と同一部分には同符号を付して、その説明を省略する。
【００１８】
以上の実施の形態では、飾り棚を拡張空間部として住宅の階段下構造を説明したが、収納部やトイレ等を拡張空間部として採用しても良い。
【００１９】
【発明の効果】
以上の説明から明らかなように、請求項１の住宅の階段下構造によれば、仕切り壁のうち、階段の下に相当する部位に開口部を形成し、この開口部を介して階段設置室と隣接する部屋を階段下まで拡張して飾り棚を設けると共に、該飾り棚の一側部を前記階段のささら部に対応したささら形状に形成したので、階段設置室と隣接する部屋のために階段下の空間を利用することができる。また、階段設置室と隣接する部屋を広く見せることができ、華やいだ印象を与えることができる。更に、仕切り壁に設置されている階段の特徴を利用して意匠的効果を付与することができる。
【００２０】
請求項２の住宅の階段下構造によれば、階段の下に階段下仕切り壁を設けたので、階段設置室と隣接する部屋について階段下の空間を利用しても、仕切り壁の機能が低下しない。
【図面の簡単な説明】
【図１】本発明の実施の形態の住宅の階段下構造の一部切欠した斜視図である。
【図２】同住宅の階段下構造の隣室側から見た斜視図である。
【図３】同住宅の階段下構造の隣室側から見た斜視図である。
【図４】同住宅の階段下構造の断面図である。
【図５】同階段下構造が設置された住宅の立体空間に関する体験学習プラントの２階部分を示す平面図である。
【図６】同学習体験プラントの１階部分を示す平面図である。
【図７】本発明の他の実施の形態の住宅の階段下構造の断面図である。
【符号の説明】
１  玄関ホール（階段設置室）
２  リビングルーム（階段設置室と隣接する部屋）
３  仕切り壁
４  階段
５  仕切り壁の開口部
６  階段の下の空間
７  階段下仕切り壁
１０  飾り棚（拡張空間部）
【図１】
0003664426.tif 000002
【図２】
0003664426.tif 000003
【図３】
0003664426.tif 000004
【図４】
0003664426.tif 000005
【図５】
0003664426.tif 000006
【図６】
0003664426.tif 000007
【図７】
0003664426.tif 000008